(57)【特許請求の範囲】
【請求項１】
光学系を支持するレンズ鏡筒の支持構造であって、
第１支持部と、第２支持部と、第３支持部と、止め部と、を有するベース枠と、
前記光学系の少なくとも一部を収容可能な概ね筒状の本体枠と、前記本体枠と一体的に設けられ前記第１支持部に第１ネジにより固定された第１取付部と、前記本体枠と一体的に設けられ前記第２支持部に第２ネジにより固定された第２取付部と、前記本体枠と一体的に設けられ前記第３支持部に第３ネジにより固定された第３取付部と、前記本体枠と一体的に設けられた受け部と、を有するレンズ鏡筒本体と、
を備え、
前記受け部は、前記光学系の光軸に平行な第１方向に前記止め部と隙間を空けて前記止め部と当接可能に配置され、前記本体枠の外周面から突出する突出部を有し、
前記止め部は、前記突出部の前記第１方向の変位を規制する第１規制部と、前記突出部の前記第１規制部とは反対側に配置され前記突出部の前記第１方向の変位を規制する第２規制部と、前記第１規制部と前記第２規制部との前記第１方向間に配置され、前記受け部の突出部の、前記第１方向と垂直な方向における変位を規制する第３規制部と、を有し、
前記第３規制部は前記第１規制部から前記第１方向に沿って延びて形成されており、前記第１規制部及び前記第３規制部の内部には、前記第３規制部に開口を有して、前記第１方向に沿って前記第３規制部から前記第１規制部に延びるネジ穴が形成されており、
前記第２規制部は、前記ネジ穴に挿入される第４ネジにより形成され、
前記第１ネジ、前記第２ネジ、前記第３ネジ及び前記第４ネジは少なくとも同一形状且つ同一寸法である、
レンズ鏡筒の支持構造。
【請求項２】
前記突出部は、前記第１方向に貫通し前記第３規制部の少なくとも一部を隙間を空けて収容する孔を有し、
前記孔は、前記第３規制部と当接可能に配置されている、
請求項１に記載のレンズ鏡筒の支持構造。
【請求項３】
前記第３規制部の前記第１方向の第１寸法は、前記突出部の前記第１方向の第２寸法よりも大きい、
請求項１に記載のレンズ鏡筒の支持構造。
【請求項４】
前記第３規制部は、前記第１規制部と一体的に形成され、前記第１規制部から前記第１方向に突出しており、
前記第２規制部は、前記第３規制部の前記第１規制部とは反対側の端部と当接している、
請求項１に記載のレンズ鏡筒の支持構造。
【請求項５】
前記受け部と前記第１取付部と前記第２取付部と前記第３取付部とは、前記第１方向に垂直な面上において前記本体枠の外縁に外接する長方形の内側に配置されている、
請求項１から４のいずれかに記載のレンズ鏡筒の支持構造。
【請求項６】
前記第１取付部と前記第２取付部と前記第３取付部と前記受け部とは、それぞれ前記長方形の互いに異なる頂点に対応する位置に配置されている、
請求項５に記載のレンズ鏡筒の支持構造。
【請求項７】
前記受け部は、前記本体枠の１箇所に設けられている、
請求項１から６のいずれかに記載のレンズ鏡筒の支持構造。
【請求項８】
光学系と、請求項１から７のいずれかに記載のレンズ鏡筒の支持構造と、
を備えた光学機器。
【発明の詳細な説明】
【技術分野】
【０００１】
本発明は、光学系を支持するレンズ鏡筒の支持構造、およびレンズ鏡筒を有する光学機器に関する。
【背景技術】
【０００２】
銀塩カメラ、デジタルカメラ、その他の光学機器においては、レンズ等の光学部品を含んだ光学系が用いられる。光学系を収容するためのレンズ鏡筒を備え、レンズ鏡筒が本体に取り付けられている光学機器もある。レンズ鏡筒は光学部品を支える必要があるので、レンズ鏡筒と光学機器の本体との接続部分にはある程度の強度が必要とされる。振動、衝撃などが光学機器に加わった場合にレンズ鏡筒と本体との接続部分の破損を防ぐための技術として、部材間に緩衝部材を配置する技術がある。
【０００３】
例えば、特許文献１には、撮影レンズを収納する第１の鏡枠と、第１の鏡枠と係合するように設けられた第２の鏡枠と、第１の鏡枠と第２の鏡枠との間で圧縮可能に配置された緩衝部材と、を備えたレンズ鏡筒が開示されている。又、例えば、特許文献２には、固定枠の外周面に突設されて被取付部に対して締結部材により固定される取付部材と、被取付部と取付部材との間に設けた隙間内に加圧された状態で配置される弾性部材と、を備え、取付部材と被取付部とは、少なくとも光軸方向では直接接触していないレンズ鏡筒が開示されている。
【先行技術文献】
【特許文献】
【０００４】
【特許文献１】特開２００１−１１６９７４号公報
【特許文献２】特開２００５−１６４６２０号公報
【発明の概要】
【発明が解決しようとする課題】
【０００５】
しかしながら、これらの技術においては、レンズ鏡筒と光学機器の本体との間に弾性部材などの緩衝部材を配置する必要があり、部品点数が増大する。
【０００６】
一方で、光学機器の本体とレンズ鏡筒との接続部分の強度を確保するために、レンズ鏡筒を光学機器の本体に４箇所以上で固定することが考えられる。しかしながら、レンズ鏡筒と光学機器の本体とを４箇所以上で固定する場合には、３箇所で固定する場合に比べて、取り付けの際に部材の歪みが発生し易くなる。その結果、レンズ鏡筒を光学機器の本体に精度よく取り付けることが困難となる。
【０００７】
このように、レンズ鏡筒を有する光学機器においては、簡素な構造により耐衝撃性を確保しつつ、光学機器の本体へレンズ鏡筒を精度良く取り付けられることが望ましい。
【課題を解決するための手段】
【０００８】
第１の特徴に係るレンズ鏡筒の支持構造は、光学系を支持するレンズ鏡筒の支持構造であって、ベース枠と、レンズ鏡筒本体と、を有している。ベース枠は、第１支持部と、第２支持部と、第３支持部と、止め部と、を有している。レンズ鏡筒本体は、本体枠と、第１取付部と、第２取付部と、第３取付部と、受け部と、を有している。
【０００９】
本体枠は、光学系の少なくとも一部を収容可能な概ね筒状の部材である。第１取付部は、本体枠と一体的に設けられ第１支持部に固定される。第２取付部は、本体枠と一体的に設けられ第２支持部に固定される。第３取付部は、本体枠と一体的に設けられ第３支持部に固定される。受け部は、本体枠と一体的に設けられ光学系の光軸に平行な第１方向に止め部と隙間を空けて配置され止め部と当接可能に配置される。
【００１０】
このレンズ鏡筒の支持構造では、３箇所でレンズ鏡筒本体がベース枠に固定されるので、レンズ鏡筒本体をベース枠への取付ける際に生じる部材の歪みは、４箇所以上が固定される場合に比べて小さくなる。つまり、レンズ鏡筒をベース枠へ精度良く取り付けることが可能である。さらに、受け部が止め部と隙間を空けて配置され止め部と当接可能に配置されているので、衝撃などによる力が加わってレンズ鏡筒が弾性変形した場合であっても、止め部が受け部を支持することができる。つまり、第１支持部、第２支持部、および第３支持部だけではなく、止め部を介してレンズ鏡筒がベース枠に支持されるので、レンズ鏡筒に加わった力が効率よく分散される。その結果、レンズ鏡筒に力が加わっても、レンズ鏡筒およびベース枠には、部材の損傷の原因となり得る局所的な負荷が生じにくくなる。このように、このレンズ鏡筒の支持構造により、取り付け精度を確保するとともに、耐衝撃性を向上させることが可能である。
【００１１】
ここで、一体的に設けられているとは、一体形成されている場合だけではなく、固定されている場合を含む概念である。
【００１２】
また、第２の特徴に係る光学機器は、光学系と、第１の特徴に係るレンズ鏡筒の支持構造と、を有している。この光学機器は、第１の特徴に係るレンズ鏡筒の支持構造を有しているので、レンズ鏡筒の取り付け精度を確保することができ、さらに、耐衝撃性を向上させることができる。
【発明の効果】
【００１３】
このように、ここに開示された技術によれば、光学機器の本体にレンズ鏡筒を精度よく取り付けることができるとともに、光学機器の耐衝撃性を向上させることが可能である。
【図面の簡単な説明】
【００１４】
【図１】デジタルカメラ２の斜視図。
【図２Ａ】レンズ鏡筒１の斜視図（Ｘ軸正側から見た場合）。
【図２Ｂ】レンズ鏡筒１の斜視図（Ｘ軸負側から見た場合）。
【図２Ｃ】レンズ鏡筒１の背面図。
【図３】前面パネル２０２の背面図。
【図４Ａ】前面パネル２０２へのレンズ鏡筒１の取り付けを示す斜視図。
【図４Ｂ】前面パネル２０２へのレンズ鏡筒１の取り付けを示す斜視図。
【図５】前面パネル２０２に取り付けられたレンズ鏡筒１の背面図。
【図６Ａ】図５のＡ−Ａ断面図。
【図６Ｂ】図５のＢ−Ｂ断面図。
【図６Ｃ】図６Ａでの第１支持部２２１周辺の拡大図。
【図６Ｄ】図６Ａでの止め部２１１周辺の拡大図。
【図６Ｅ】図６Ｂでの第２支持部２３１周辺の拡大図。
【図６Ｆ】図６Ｂでの第３支持部２４１周辺の拡大図
【図７】止め部４１１（第２実施形態）の図６Ｄに相当する断面図。
【発明を実施するための形態】
【００１５】
１．第１実施形態
１−１．構成の概要
以下、図面を参照しながら本発明の実施形態に係るデジタルカメラ２について説明する。
【００１６】
図１は、第１実施形態に係るデジタルカメラ２（光学機器の一例）の斜視図である。本実施形態ではデジタルカメラ２を例にして光学機器について説明するが、光学機器としては、銀塩カメラ、デジタルカメラ（電子カメラ）、ビデオカメラ等々の各種光学機器が考えられる。図２Ａおよび図２Ｂは、第１実施形態に係るレンズ鏡筒１の構成を示す斜視図である。図２Ｃは、レンズ鏡筒１の構成を示す背面図である。図３は、第１実施形態に係る前面パネル２０２の構成を示す背面図である。図４Ａおよび図４Ｂは、前面パネル２０２にレンズ鏡筒１を取り付ける前の状態を示した斜視図である。図５は、前面パネル２０２に取り付けられたレンズ鏡筒１の背面図である。図６Ａおよび図６Ｂは、前面パネル２０２に取り付けられたレンズ鏡筒１の断面図である。図６Ｃ、図６Ｄ、図６Ｅおよび図６Ｆは、前面パネル２０２に取り付けられたレンズ鏡筒１の断面の拡大図である。
【００１７】
デジタルカメラ２は、本体２００と、レンズ鏡筒１と、を有している。デジタルカメラ２は、レンズ鏡筒１を支持するための支持構造３を有している。レンズ鏡筒の支持構造３は、レンズ鏡筒本体１０と、前面パネル２０２と、を有している。レンズ鏡筒本体１０および前面パネル２０２については、後述する。
【００１８】
レンズ鏡筒１は、銀塩カメラ、デジタルカメラ（電子カメラ）、ビデオカメラ等々の各種光学機器に装備されてレンズ群を保持する手段の一例である。
【００１９】
１−２．レンズ鏡筒１の構成
レンズ鏡筒１は、レンズ鏡筒本体１０と、レンズ群１０２（光学系の一例）と、を有している。レンズ群１０２は、複数もしくは単数のレンズを有し、被写体の光学像を形成する。また、レンズ群１０２は、光軸ＡＸを有している。レンズ鏡筒本体１０は、本体枠１０１と、第１取付部１２１と、第２取付部１３１と、第３取付部１４１と、受け部１１１と、を有している。
【００２０】
以下では、説明のために図１に示すようにＸ軸を設定する。Ｘ軸はレンズ群１０２の光軸ＡＸと平行な軸である。つまり、レンズ群１０２の光軸ＡＸと平行な方向がレンズ鏡筒１のＸ軸方向（第１方向の一例）である。同様にレンズ鏡筒１が本体２００に取り付けられた状態でのＸ軸方向を本体２００およびデジタルカメラ２のＸ軸方向に設定する。また、デジタルカメラ２から被写体への向かう方向をＸ軸正方向に設定する。
【００２１】
本体枠１０１は、レンズ群１０２を支持するための概ね筒状の部材である。本体枠１０１は、レンズ群１０２を収容している。図２Ａに示すように、本体枠１０１は、長筒部１０１ａと、固定枠１００と、を有している。長筒部１０１ａは筒状の部材であり、被写体からの入射光を取り込むための開口を有している。長筒部１０１ａはレンズ群１０２を収容している。固定枠１００は、長筒部１０１ａよりも短い筒状の部材であり、長筒部１０１ａと概ね同軸に、長筒部１０１ａの外周側に配置されている（図６Ａ）。図２Ｂに示すように、固定枠１００はＸ軸負側に固定された底を有している。固定枠１００の外周面には、第１取付部１２１と、第２取付部１３１と、第３取付部１４１と、受け部１１１と、が設けられている。
【００２２】
第１取付部１２１、第２取付部１３１、および第３取付部１４１は、本体２００に設けられた第１支持部２２１（後述）、第２支持部２３１（後述）、および第３支持部２４１（後述）にそれぞれ固定可能であり、本体枠１０１と一体的に設けられている。第１取付部１２１、第２取付部１３１、および第３取付部１４１は、レンズ鏡筒１（より詳細には、固定枠１００）を本体２００に固定するための部分である。
【００２３】
第１取付部１２１は、固定枠１００の外周面から突出する第１フランジ部１２５を有している。第１フランジ部１２５は、主面がＸ軸方向に概ね垂直な略長方形の薄板であり、固定枠１００と一体形成されている。第１フランジ部１２５の概ね中央には、第１ネジ３２１を挿通するための、Ｘ軸方向に貫通する第１貫通孔１２２が形成されている。さらに、第１フランジ部１２５には、第１位置決め突起２２５（後述）を挿入可能な第１位置決め穴１２３が形成されている。レンズ鏡筒１を本体２００に取り付ける際に、第１取付部１２１は、第１支持部２２１に対して締結部材としての第１ネジ３２１により固定される。
【００２４】
第２取付部１３１および第３取付部１４１も、第１取付部１２１と実質的に同様の構成を有している。すなわち、第２取付部１３１は固定枠１００の外周面から突出する第２フランジ部１３５を有している。第２フランジ部１３５は、主面がＸ軸方向に概ね垂直な略長方形の薄板であり、固定枠１００と一体形成されている。第２フランジ部１３５の概ね中央には、第２ネジ３３１を挿通するための、第２フランジ部１３５をＸ軸方向に貫通する第２貫通孔１３２が形成されている。さらに、第２フランジ部１３５には、第２位置決め突起２３５（後述）を挿入可能な第２位置決め穴１３３が形成されている。レンズ鏡筒１を本体２００に取り付ける際に、第２取付部１３１は、第２支持部２３１に対して第２ネジ３３１により固定される。また、第３取付部１４１は固定枠１００の外周面から突出する第３フランジ部１４５を有している。第３フランジ部１４５は、主面がＸ軸方向に概ね垂直な略長方形の薄板であり、固定枠１００と一体形成されている。第３フランジ部１４５の概ね中央には、第３ネジ３４１を挿通するための、第３フランジ部１４５をＸ軸方向に貫通する第３貫通孔１４２が形成されている。さらに、第３フランジ部１４５には、第３位置決め突起２４５（後述）を挿入可能な第３位置決め穴１４３が形成されている。レンズ鏡筒１を本体２００に取り付ける際に、第３取付部１４１は、第３支持部２４１に対して第３ネジ３４１により固定される。
【００２５】
受け部１１１は、止め部２１１（後述）と当接可能に配置され、Ｘ軸方向に止め部２１１と隙間を空けて配置されている。具体的には、受け部１１１は、固定枠１００の外周面から突出する第４フランジ部１１５と、補強部１１８と、を有している。第４フランジ部１１５（突出部の一例）は、主面がＸ軸方向と概ね垂直な略長方形の薄板であり、固定枠１００と一体形成されている。第４フランジ部１１５の概ね中央には第４貫通孔１１２（孔の一例）が形成されている。本実施形態では、第４貫通孔１１２の径は、第１貫通孔１２２、第２貫通孔１３２、および第３貫通孔１４２のそれぞれの径よりも大きい。レンズ鏡筒１が本体２００に取り付けられた状態では、止め部２１１の突起２１１ｂ（後述）は、第４貫通孔１１２に対して径方向に隙間１１１ｃを空けて嵌め込まれる。さらに、第４フランジ部１１５は、Ｘ軸方向に隙間１１１ａおよび隙間１１１ｂを空けて止め部２１１に嵌め込まれている。受け部１１１と止め部２１１との関係の詳細ついては後述する。補強部１１８は、固定枠１００の外周面および第４フランジ部１１５に連結されており、第４フランジ部１１５の強度を確保している。
【００２６】
図２Ｃに示すように、第１取付部１２１、第２取付部１３１、第３取付部１４１、および受け部１１１は、Ｘ軸に垂直な面上において本体枠１０１の外縁Ｅに外接する正方形ＳＱ（長方形の一例）の内側に配置されている。図２Ｃでは、本体枠１０１（より詳細には、固定枠１００）の外縁Ｅに外接する正方形ＳＱを二点鎖線で示している。本実施形態では、第１取付部１２１、第２取付部１３１、第３取付部１４１、および受け部１１１は、Ｘ軸に垂直な平面に沿って設けられている。言い換えれば、第１取付部１２１、第２取付部１３１、第３取付部１４１、および受け部１１１のＸ軸方向での位置は概ね一致している。Ｘ軸方向での位置は、例えば、第１フランジ部１２５、第２フランジ部１３５、第３フランジ部１４５、および第４フランジ部１１５のＸ軸正側の端の位置を基準としている。また、第１取付部１２１、第２取付部１３１、第３取付部１４１、および受け部１１１は、固定枠１００の外周上に概ね一定のピッチで配置されている。言い換えれば、第１取付部１２１、第２取付部１３１、第３取付部１４１、および受け部１１１は、本体枠１０１の周方向に概ね一定の間隔を空けて配置され、それぞれ正方形ＳＱの互いに異なる頂点に対応する位置に配置されている。したがって、本実施形態では、第１取付部１２１、第２取付部１３１、第３取付部１４１、および受け部１１１は、本体枠１０１の周方向におよそ９０度の間隔で配置されている。
【００２７】
ここで、Ｘ軸方向に垂直な面上での本体枠１０１の外縁Ｅは、本体枠１０１の外周面とＸ軸方向に垂直な面とが交わる部分を意味している。ここでの「Ｘ軸方向に垂直な面」は、仮想的な面であり、第１フランジ部１２５、第２フランジ部１３５、第３フランジ部１４５、および第４フランジ部１１５をＸ軸に垂直な方向に切断する面である。
【００２８】
１−３．本体２００の構成
本体２００は、レンズ鏡筒１を取り付け可能な部分であり、被写体の撮像に必要な部品および機能を有している。具体的には、本体２００は、主に前面パネル２０２を含む筐体２０１と、レンズ群１０２により形成された被写体の光学像を画像データに変換し画像処理および画像データの保存を行なう撮像処理部（図示せず）と、を有している。撮像処理部は、例えば、被写体の光学像を電気信号に変換する撮像素子（図示せず）を有している。本実施形態では、本体２００の筐体２０１の一部である前面パネル２０２にレンズ鏡筒１が固定される。
【００２９】
図３に示すように、前面パネル２０２は、レンズ鏡筒１が挿入される開口部２５０と、第１支持部２２１と、第２支持部２３１と、第３支持部２４１と、止め部２１１と、を有している。前述のとおり、説明のために本体２００にレンズ鏡筒１を取り付けたときのＸ軸方向を、本体２００のＸ軸方向に設定する。開口部２５０は、Ｘ軸方向に貫通している。レンズ鏡筒１を前面パネル２０２に取り付けるために、レンズ鏡筒１のＸ軸正側が前面パネル２０２のＸ軸負側から開口部２５０に挿入される。
【００３０】
第１支持部２２１、第２支持部２３１、および第３支持部２４１は、それぞれ、第１取付部１２１、第２取付部１３１、および第３取付部１４１を固定可能に設けられている。第１支持部２２１、第２支持部２３１、および第３支持部２４１は、開口部２５０の周囲に配置されており、前面パネル２０２のＸ軸負側に例えば一体形成されている。第１支持部２２１は、第１位置決め突起２２５と、第１ネジ穴２２１ａと、を有している。第２支持部２３１は、第２位置決め突起２３５と、第２ネジ穴２３１ａと、を有している。第３支持部２４１は、第３位置決め突起２４５と、第３ネジ穴２４１ａと、を有している。
【００３１】
第１支持部２２１、第２支持部２３１、および第３支持部２４１は、レンズ鏡筒１が開口部２５０に挿入された場合にそれぞれ第１取付部１２１、第２取付部１３１、および第３取付部１４１と相対する位置に配置されている。また、第１ネジ穴２２１ａ、第２ネジ穴２３１ａ、および第３ネジ穴２４１ａは、レンズ鏡筒１が開口部２５０に挿入された場合それぞれ第１貫通孔１２２、第２貫通孔１３２、および第３貫通孔１４２に相対する位置に配置されている。第１位置決め突起２２５、第２位置決め突起２３５、および第３位置決め突起２４５は、レンズ鏡筒１を前面パネル２０２に仮止めするための突起である。レンズ鏡筒１が前面パネル２０２に取り付けられた状態では、第１位置決め突起２２５、第２位置決め突起２３５、および第３位置決め突起２４５は、それぞれ、第１位置決め穴１２３、第２位置決め穴１３３、および第３位置決め穴１４３に嵌め込まれる。
【００３２】
第１ネジ３２１、第２ネジ３３１、および第３ネジ３４１は、それぞれ、第１ネジ穴２２１ａ、第２ネジ穴２３１ａ、および第３ネジ穴２４１ａにねじ込まれる。このとき、第１ネジ３２１、第２ネジ３３１、および第３ネジ３４１は、それぞれ、第１貫通孔１２２、第２貫通孔１３２、第３貫通孔１４２を貫通しており、第１フランジ部１２５、第２フランジ部１３５、および第３フランジ部１４５を、それぞれ、第１支持部２２１、第２支持部２３１、および第３支持部２４１に固定する。
【００３３】
止め部２１１は、受け部１１１と隙間を空けて配置され、受け部１１１と当接可能に配置されている。止め部２１１は、開口部２５０の周辺に配置され、レンズ鏡筒１が開口部２５０に挿入された場合に受け部１１１と相対する位置に配置されている。止め部２１１は、第４ネジ穴２１１ａと、突起２１１ｂ（第３規制部の一例）と、基部２１１ｃ（第１規制部の一例）と、第４ネジ３１１と、を有している。
【００３４】
基部２１１ｃは、第４フランジ部１１５のＸ軸方向の変位を規制する部分であり、前面パネル２０２のＸ軸負側に例えば一体形成されている。具体的には、基部２１１ｃのＸ軸負側には、第４フランジ部１１５を当接させるための、面状の第１当接部２１１ｄが形成されている。レンズ鏡筒１が前面パネル２０２に取り付けられた状態では、第１当接部２１１ｄは、第４フランジ部１１５とＸ軸方向に向かい合っている。
【００３５】
突起２１１ｂは、受け部１１１の変位を規制する部分であり、基部２１１ｃからＸ軸負方向に突出している。本実施形態では、突起２１１ｂは、基部２１１ｃと一体形成されている。このように、止め部２１１の、第４貫通孔１１２に相対する位置には、Ｘ軸方向に突起２１１ｂが突出するように設けられている。レンズ鏡筒１が前面パネル２０２に取り付けられた状態では、突起２１１ｂの一部が第４貫通孔１１２に隙間を空けて収容されている。突起２１１ｂの中央には第４ネジ穴２１１ａが設けられている。図６Ｄに示すように、突起２１１ｂのＸ軸方向の高さＨ１（第１寸法の一例）は、第４フランジ部１１５のＸ軸方向の厚みＴ（第２寸法の一例）よりもわずかに大きい。また、突起２１１ｂの外径Ｄ１は、受け部１１１の第４貫通孔１１２の内径Ｄ２よりも小さい。
【００３６】
第４ネジ穴２１１ａは、Ｘ軸方向に沿って延びる穴であり、突起２１１ｂおよび基部２１１ｃに形成されている。第４ネジ３１１は、突起２１１ｂの基部２１１ｃとは反対側から第４ネジ穴２１１ａに挿入され、第４ネジ穴２１１ａに固定される。第４ネジ３１１は、第２頭部３１１ａ（第２規制部の一例）と、第２頭部３１１ａから延びる軸部３１１ｂと、を有している。軸部３１１ｂには、ネジが形成されている。第２頭部３１１ａは、第４フランジ部１１５のＸ軸方向の変位を規制する部分であり、レンズ鏡筒１が前面パネル２０２に取り付けられた状態では、第４フランジ部１１５の基部２１１ｃとは反対側に配置される。第２頭部３１１ａの軸部３１１ｂ側には、面状の第２当接部３１１ｃが形成されている。前述のように、突起２１１ｂの外径Ｄ１は受け部１１１の第４貫通孔１１２の内径Ｄ２よりも小さく設定されている。さらに、第４貫通孔１１２の内径は、第４ネジ３１１の第２頭部３１１ａの外径よりも小さく設定されている。したがって、第４ネジ穴２１１ａに第４ネジ３１１が固定された状態では、第２当接部３１１ｃの一部（より詳細には、外周部）が露出している。また、第４ネジ穴２１１ａに第４ネジ３１１が固定された状態では、第２当接部３１１ｃの一部（より詳細には、内周部）は、突起２１１ｂの基部２１１ｃとは反対側の端と当接している。そして、レンズ鏡筒１が前面パネル２０２に取り付けられた状態では、第２当接部３１１ｃの外周部は、第４フランジ部１１５とＸ軸方向に向かい合っている。
【００３７】
なお、第４ネジ穴２１１ａと同様に、第１ネジ穴２２１ａ、第２ネジ穴２３１ａ、および第３ネジ穴２４１ａの中心軸の方向は、Ｘ軸方向と概ね平行となっている。また、本実施形態では、第１ネジ３２１、第２ネジ３３１、第３ネジ３４１、および第４ネジ３１１は、いずれも同一形状かつ同一寸法のネジである。突起２１１ｂの外径は第４ネジ３１１の軸部３１１ｂの外径よりも大きいが、第４貫通孔１１２の内径は、第１貫通孔１２２、第２貫通孔１３２、および第３貫通孔１４２の内径よりも大きいので、第４貫通孔１１２は突起２１１ｂを収容することができる。このように、第１ネジ３２１、第２ネジ３３１、第３ネジ３４１、および第４ネジ３１１として共通のネジを用いることができるので、レンズ鏡筒１を本体２００に取り付ける際にネジの取り違えを防止することができる。
【００３８】
１−４．レンズ鏡筒１の本体２００への取り付け
図４Ａおよび図４Ｂに示すように、レンズ鏡筒１を前面パネル２０２に取り付ける際には、まず本体枠１０１をＸ軸負側から開口部２５０に挿入し、第１取付部１２１、第２取付部１３１、および第３取付部１４１を、第１支持部２２１、第２支持部２３１、および第３支持部２４１に対して各々当接させる。具体的には、第１位置決め突起２２５、第２位置決め突起２３５、および第３位置決め突起２４５が、それぞれ、第１位置決め穴１２３、第２位置決め穴１３３、第３位置決め穴１４３に挿入される。このようにレンズ鏡筒１を前面パネル２０２に仮止めすることにより、レンズ鏡筒１を前面パネル２０２に対して位置決めすることができる。このとき、止め部２１１の突起２１１ｂは、受け部１１１の第４貫通孔１１２を、突起２１１ｂの径方向（Ｘ軸と垂直な方向）に隙間１１１ｃが空いた状態で貫通している。
【００３９】
さらに、第４貫通孔１１２の内周面と突起２１１ｂの外周面との間に隙間が形成された状態で、固定枠１００が前面パネル２０２に固定される。図５に示すように、第１ネジ３２１により第１支持部２２１に対して第１取付部１２１が固定される。同様に、第２ネジ３３１により第２支持部２３１に対して第２取付部１３１が固定され、第３ネジ３４１により第３支持部２４１に対して第３取付部１４１が固定される。このように、本体枠１０１を前面パネル２０２に対して３箇所で固定することにより、レンズ鏡筒１を本体２００に固定する際の部材の歪みを低減できるので、レンズ鏡筒１を本体２００に精度良く固定することが可能である。
【００４０】
さらに、突起２１１ｂの第４ネジ穴２１１ａに第４ネジ３１１が固定される。第４ネジ３１１は、第２頭部３１１ａ（より詳細には、第２当接部３１１ｃ）が突起２１１ｂの基部２１１ｃと反対側の端部に当接するまでねじ込まれる。第４ネジ３１１の第２頭部３１１ａの径は第４貫通孔１１２の径よりも大きいため、仮に取付部（つまり、第１取付部１２１、第２取付部１３１、および第３取付部１４１）が前面パネル２０２に固定されていなくとも、受け部１１１が突起２１１ｂから抜け落ちてしまうことはない。
【００４１】
前述のように、突起２１１ｂのＸ軸方向の高さＨ１は第４フランジ部１１５のＸ軸方向の厚みＴよりもわずかに大きく、また、突起２１１ｂの外径Ｄ１は第４貫通孔１１２の内径Ｄ２よりも小さい。このため、図６Ｄに示すように、受け部１１１と止め部２１１との間には、隙間が確保される。言い換えれば、受け部１１１は、止め部２１１と隙間を空けて配置される。より詳細には、基部２１１ｃと第４フランジ部１１５とのＸ軸方向間に隙間１１１ａが保たれる。また、受け部１１１と第４ネジ３１１の第２頭部３１１ａとのＸ軸方向間には、隙間１１１ｂが保たれる。さらに、突起２１１ａの外周面と第４貫通孔１１２の内周面との間には、突起２１１ａの径方向に隙間１１１ｃが保たれる。
【００４２】
なお、隙間１１１ａ、隙間１１１ｂ、および隙間１１１ｃが確保できるように、部材の寸法が設定されている。例えば、各部材の製造（成形）時に部材の寸法に生じ得る誤差を考慮して部材が設計されている。つまり、部材の寸法の誤差により隙間１１１ａ、隙間１１１ｂ、および隙間１１１ｃの大きさは変動し得るので、第１取付部１２１、第２取付部１３１、および第３取付部１４１が前面パネル２０２に固定されたときに各隙間が確実に確保されるように、部材の寸法および隙間の大きさが設計されている。また、隙間の大きさは、部材の材質や大きさを考慮して設計されている。具体的には、レンズ鏡筒１に外力が加わった際にレンズ鏡筒１や本体２００の部材にどの程度の弾性変形が生じるのかを考慮して、隙間１１１ａ、隙間１１１ｂ、および隙間１１１ｃの大きさが設定される。
【００４３】
このように、受け部１１１は、止め部２１１との間に所定量の隙間１１１ａ、隙間１１１ｂ、および隙間１１１ｃが確保された状態で（つまり、受け部１１１と止め部２１１との間に遊びがある状態で）配置されており、かつ、突起２１１ａが第４貫通孔１１２を隙間を空けて貫通した状態となっている。したがって、通常使用時においては、受け部１１１と止め部２１１とは、レンズ鏡筒１を本体２００に固定することに寄与していないので、レンズ鏡筒１は本体２００に対して上述のように３箇所のみで固定される。具体的には、通常使用時のレンズ鏡筒１は、第１支持部２２１、第２支持部２３１、および第３支持部２４１によって支持される。その結果、レンズ鏡筒１が４箇所以上で本体２００に固定される場合に比べて、部材の歪みが少なくなり、レンズ鏡筒１を固定する際の位置合わせ、および固定された状態における位置の精度の確保が容易となる。なお、ここでの通用使用時とは、レンズ鏡筒１に衝撃などによる力が加わっていない状態をいう。
【００４４】
一方、レンズ鏡筒１には衝撃などの力が加わる場合もある。例えば、本体２００の開口部２５０から突出しているレンズ鏡筒１に対し、Ｘ軸負方向に向けてある衝撃力が加えられた場合（つまり、レンズ鏡筒１を本体２００に押し込もうとする力が加えられた場合）を考える。このとき、レンズ鏡筒１と本体２００との接続部分を形成している部材、例えば、第１取付部１２１、第２取付部１３１、および第３取付部１４１、ならびに第１支持部２２１、第２支持部２３１、および第３支持部２４１が弾性変形する。その結果、受け部１１１が止め部２１１に対して通常使用時での位置よりもＸ軸負側に変位して隙間１１１ｂがなくなり、受け部１１１が第４ネジ３１１に当接する。より詳細には、第４フランジ部１１５が第２頭部３１１ａの第２当接部３１１ｃに当接する。また、受け部１１１が弾性変形によりＸ軸方向と垂直な方向に変位した場合には、第４貫通孔１１２の内周面は、突起２１１ｂの外周面に当接する。このようにして、部材が弾性変形の範囲内での変位した場合には、受け部１１１が止め部２１１（具体的には、基部２１１ｃ、突起２１１ｂ、および第４ネジ３１１の第２頭部３１１ａのうち少なくともいずれかひとつ）に当接することができる。その結果、レンズ鏡筒１に加わった衝撃力は、第１支持部２２１、第２支持部２３１、および第３支持部２４１だけではなく、止め部２１１にも分散される。このように、レンズ鏡筒１に加わった衝撃力は４箇所に分散され、吸収される。衝撃力が取り除かれた場合には、部材の有する弾性力により、レンズ鏡筒１は本体２００に対して元の位置に戻ることができる。
【００４５】
上記ではレンズ鏡筒１にＸ軸負方向への力が加わった場合を説明したが、力が他の方向から加えられた場合も同様である。例えば、レンズ鏡筒１にＸ軸正方向への衝撃力が加わった場合には、受け部１１１が弾性変形により止め部２１１に対して通常使用時での位置よりもＸ軸正側に変位する。この場合には、受け部１１１は基部２１１ｃと当接する。具体的には、第４フランジ部１１５が第１当接部２１１ｄと当接する。その結果、レンズ鏡筒１に加わった衝撃力は、第１支持部２２１、第２支持部２３１、および第３支持部２４１だけではなく、止め部２１１にも分散される。
【００４６】
以上のように、本実施形態に係るレンズ鏡筒の支持構造３では、固定枠１００の外周面から突出した第１取付部１２１、第２取付部１３１、および第３取付部１４１が、それぞれ本体２００側の第１支持部２２１、第２支持部２３１、および第３支持部２４１に、第１ネジ３２１、第２ネジ３３１、および第３ネジ３４１により取り付けられる。このように、３箇所でレンズ鏡筒１を本体２００に取り付けるので、レンズ鏡筒１を安定させることができる。その一方で、レンズ鏡筒１を本体２００に３箇所で当接させればよいので、４箇所以上を当接させる場合に比べて、レンズ鏡筒１と本体２００とが当接する位置を同一平面上に配置しやすくなる。つまり、３箇所でレンズ鏡筒１を固定することにより、平面度を確保することが容易となる。本実施形態では、平面度を確保するとは、Ｘ軸に垂直な仮想的な平面を考えた場合に、第１フランジ部１２５のＸ軸正側の端と、第２フランジ部１３５のＸ軸正側の端と、および第３フランジ部１４５のＸ軸正側の端と、をその仮想的な平面に概ね接するように配置することを意味している。
【００４７】
また、受け部１１１が止め部２１１と隙間を空けて配置されるので、レンズ鏡筒１に衝撃などの力が加わってない場合には、受け部１１１および止め部２１１を介して前面パネル２０２からレンズ鏡筒１に余分な負荷がかかることがない。
【００４８】
仮に、デジタルカメラ２がレンズ鏡筒１の前面（つまり、Ｘ軸正側）より落下した場合であっても、レンズ鏡筒１へ加わった負荷は、第１支持部２２１、第２支持部２３１、および第３支持部２４１、および止め部２１１の４箇所を介して本体２００に分散される。このように、レンズ鏡筒１に加わった外力をデジタルカメラ２全体で受ける事が可能となるので、レンズ鏡筒１の内部へ直接伝わる衝撃を緩和することができ、レンズ群１０２の破損の可能性を低減することが可能となる。
【００４９】
また、支持構造３では、構造をシンプル化しつつ、耐衝撃性を向上させることができる。具体的には、受け部１１１と止め部２１１との間に隙間１１１ａ、隙間１１１ｂ、および隙間１１１ｃが形成されていればよいので、受け部１１１と止め部２１１との間に弾性部材などの緩衝部材を配置する場合に比べて、部品点数を減らすことができる。また、第４ネジ３１１の第２頭部３１１ａが受け部１１１のＸ軸方向の変位を規制するので、第４ネジ３１１を固定するだけで止め部２１１を形成することができる。したがって、レンズ鏡筒１を本体２００に取り付ける際に、余分な作業を省略することができる。
【００５０】
このように、本実施形態に係るレンズ鏡筒１の支持構造３によれば、レンズ鏡筒１の破損等を防止することが可能である。さらに、レンズ群や撮像素子の配置に歪みを与えることのない、容易に組み立てることのできる撮影装置などの光学機器を提供することができる。
【００５１】
１−５．効果
ここに開示されたレンズ鏡筒１の支持構造３の効果をまとめる。
【００５２】
（１）
このレンズ鏡筒１の支持構造３では、前面パネル２０２は第１支持部２２１と第２支持部２３１と第３支持部２４１と止め部２１１とを有している。また、レンズ鏡筒本体１０は、本体枠１０１と、本体枠１０１と一体的に設けられ第１支持部２２１に固定された第１取付部１２１と、本体枠１０１と一体的に設けられ第２支持部２３１に固定された第２取付部１３１と、本体枠１０１と一体的に設けられ第３支持部２４１に固定された第３取付部１４１と、本体枠１０１と一体的に設けられＸ軸方向に止め部２１１と隙間を空けて配置され止め部２１１と当接可能に配置された受け部１１１と、を有している。
【００５３】
したがって、第１取付部１２１と第２取付部１３１と第３取付部１４１とにより３箇所でレンズ鏡筒本体１０が前面パネル２０２に固定されるので、レンズ鏡筒本体１０を前面パネル２０２への取付ける際に生じる部材の歪みは、４箇所以上が固定される場合に比べて小さくなる。つまり、レンズ鏡筒１を前面パネル２０２へ精度良く取り付けることが可能である。さらに、受け部１１１が止め部２１１と隙間を空けて配置され止め部２１１と当接可能に配置されているので、衝撃などによる力が加わってレンズ鏡筒１が弾性変形した場合であっても、止め部２１１が受け部１１１を支持することができる。つまり、第１支持部２２１、第２支持部２３１、および第３支持部２４１だけではなく、止め部２１１を介してレンズ鏡筒１が前面パネル２０２に支持されるので、レンズ鏡筒１に加わった力が効率よく分散される。その結果、レンズ鏡筒１に力が加わっても、レンズ鏡筒１および前面パネル２０２には、部材の損傷の原因となり得る局所的な負荷が生じにくくなる。このように、このレンズ鏡筒１の支持構造３により、取り付け精度を確保するとともに、耐衝撃性を向上させることが可能である。
【００５４】
（２）
このレンズ鏡筒１の支持構造３では、止め部２１１は、第４フランジ部１１５のＸ軸方向への変位を規制する基部２１１ｃと、第４フランジ部１１５の基部２１１ｃとは反対側に配置されフランジ部のＸ軸方向への変位を規制する第２頭部３１１ａと、を有している。このように、第４フランジ部１１５の両側には基部２１１ｃおよび第２頭部３１１ａが配置されているので、第４フランジ部１１５がＸ軸方向に変位した場合であっても、基部２１１ｃおよび第２頭部３１１ａにより第４フランジ部１１５が支持される。このように、力が加わってレンズ鏡筒１が弾性変形した場合であっても、止め部２１１が受け部１１１をより確実に支持することができる。
【００５５】
また、受け部１１１の第４フランジ部１１５は第４貫通孔１１２を有している。第４貫通孔１１２は、Ｘ軸方向に貫通し、突起２１１ｂの一部を隙間を空けて収容するとともに、止め部２１１と当接可能に配置されている。したがって、レンズ鏡筒１がＸ軸方向に垂直な方向に変位した場合であっても、止め部２１１が受け部１１１を支持することができる。
【００５６】
一方で、突起２１１ｂのＸ軸方向の高さＨ１は第４フランジ部１１５のＸ軸方向の厚みＴよりも大きいので、第４フランジ部１１５と止め部２１１とのＸ軸方向間に確実に隙間を形成することができる。
【００５７】
（３）
このレンズ鏡筒１の支持構造３では、突起２１１ｂは基部２１１ｃと一体的に形成され基部２１１ｃからＸ軸方向に突出しており、第２頭部３１１ａは突起２１１ｂの基部２１１ｃとは反対側の端部と当接している。したがって、基部２１１ｃと第２頭部３１１ａとの間に形成される空間のＸ軸方向の大きさは突起２１１ｂのＸ軸方向の高さＨ１となる。その結果、レンズ鏡筒１を前面パネル２０２に取り付ける際に、基部２１１ｃに対する第２頭部３１１ａの位置を調節する必要がなくなる。つまり、レンズ鏡筒１の取り付けにおいて、余分な作業を省略することができる。
【００５８】
（４）
このレンズ鏡筒１の支持構造３では、第１取付部１２１、第２取付部１３１、第３取付部１４１、および受け部１１１はＸ軸方向に垂直な面上において本体枠１０１の外縁Ｅに外接する正方形ＳＱの内側に配置されているので、これらの取付部および受け部１１１はレンズ鏡筒本体１０の近傍に配置されている。したがって、他の部材を配置するためのスペースをレンズ鏡筒１の周辺に広く確保することができる。さらに、受け部１１１は本体枠１０１の１箇所に設けられているので、第１取付部１２１、第２取付部１３１、第３取付部１４１、および受け部１１１をレンズ鏡筒１の周辺に効率よく配置することができる。その結果、デジタルカメラ２を小型化できるとともに、設計の自由度を高めることができる。
【００５９】
また、第１取付部１２１と第２取付部１３１と第３取付部１４１と受け部１１１とは、それぞれ正方形ＳＱの互いに異なる頂点に対応する位置に配置されているので、第１取付部１２１、第２取付部１３１、第３取付部１４１、および受け部１１１を互いに間隔を空けて配置することができる。その結果、レンズ鏡筒１に加わる力が効率良く分散されるので、耐衝撃性を向上させることができる。また、第１取付部１２１と第２取付部１３１と第３取付部１４１とを互いに間隔を空けて配置することができるので、レンズ鏡筒１を安定した状態で前面パネル２０２に固定することができる。
【００６０】
２．第２実施形態
図７は、第２実施形態に係るレンズ鏡筒の支持構造４の構成を示す要部断面図である。なお、第１実施形態と実質的に同一の機能を有する部分には同一符号を付し、重複した説明は省略する。この第２実施形態に係る支持構造４は、止め部４１１の構成に特徴を有している。第１実施形態に係る止め部２１１は突起２１１ｂと第４ネジ３１１とを有していたが、第２実施形態に係る止め部４１１は、段付きネジ３１２を有している。
【００６１】
止め部４１１は、基部４１１ｃ（第１規制部の一例）と、第４ネジ穴４１１ａと、段付きネジ３１２と、を有している。
【００６２】
段付きネジ３１２は、第１頭部３１２ａ（第２規制部の一例）と、第１頭部３１２ａから延びる円柱状の非ネジ部３１２ｂ（胴部の一例、第３規制部の一例）と、非ネジ部３１２ｂから延びる円柱状のネジ部３１２ｃと、を有している。非ネジ部３１２ｂの径は、ネジ部３１２ｃの径よりも大きい。また、第１頭部３１２ａの径は、非ネジ部３１２ｂの径よりも大きい。第１頭部３１２ａと、非ネジ部３１２ｂと、ネジ部３１２ｃと、は一体的に形成されている。第１頭部３１２ａは、第４フランジ部１１５のＸ軸方向の変位を規制する部分であり、レンズ鏡筒１が前面パネル２０２に取り付けられた状態では、第４フランジ部１１５の基部４１１ｃとは反対側に配置される。具体的には、第１頭部３１２ａの非ネジ部３１２ｂ側には、面状の第２当接部３１２ｄが形成されている。レンズ鏡筒１が前面パネル２０２に取り付けられた状態では、第２当接部３１２ｄは、第４フランジ部１１５とＸ軸方向に向かい合っている。ネジ部３１２ｃには、ネジが形成されている。
【００６３】
基部４１１ｃは、第４フランジ部１１５のＸ軸方向の変位を規制する。具体的には、基部４１１ｃのＸ軸負側には、第４フランジ部１１５を当接させるための、面状の第１当接部４１１ｄが形成されている。レンズ鏡筒１が前面パネル２０２に取り付けられた状態では、第１当接部４１１ｄは、第４フランジ部１１５とＸ軸方向に向かい合っている。第４ネジ穴４１１ａは、段付きネジ３１２のネジ部３１２ｃと嵌合するための部分であり、基部４１１ｃに形成されている。第４ネジ穴４１１ａは、Ｘ軸方向に沿って延びる穴であり、ネジ部３１２ｃが固定される。ネジ部３１２ｃは、基部４１１ｃのＸ軸負側から第４ネジ穴４１１ａに挿入される。
【００６４】
第４フランジ部１１５は、Ｘ軸方向に貫通し段付きネジ３１２の非ネジ部３１２ｂの一部を隙間を空けて収容可能な第４貫通孔１１２を備えている。非ネジ部３１２ｂのＸ軸方向の高さＨ２は第４フランジ部１１５のＸ軸方向の厚みＴよりもわずかに大きく、また、非ネジ部３１２ｂの外径Ｄ３は第４貫通孔１１２の内径Ｄ２よりも小さい。このため、図７に示すように、受け部１１１と止め部４１１との間には、隙間が確保される。言い換えれば、受け部１１１は、止め部４１１と隙間を空けて配置される。より詳細には、基部４１１ｃと第４フランジ部１１５とのＸ軸方向間に隙間１１１ａが保たれる。また、第４フランジ部１１５と段付きネジ３１２の第１頭部３１２ａとのＸ軸方向間には、隙間１１１ｂが保たれる。さらに、非ネジ部３１２ｂの外周面と第４貫通孔１１２の内周面との間には、非ネジ部３１２ｂの径方向に隙間１１１ｃが保たれる。このように、レンズ鏡筒１が本体２００に取り付けられた場合には、受け部１１１と止め部４１１との間に遊びがある状態となっている。したがって、通常使用時においては、受け部１１１および止め部４１１は、レンズ鏡筒１を本体２００に固定することに寄与していないので、レンズ鏡筒１は本体２００に対して、第１実施形態と同様に３箇所で固定される。その結果、レンズ鏡筒１を本体２００に固定する際の位置合わせ、および固定された状態における位置の精度の確保が容易となる。
【００６５】
また、第１実施形態と同様に、第２実施形態に係る支持構造４では、耐衝撃性を向上させることができる。例えば、本体２００の開口部２５０から突出しているレンズ鏡筒１に、Ｘ軸負方向に向けてある衝撃力が加えられた場合を考える。このとき、レンズ鏡筒１が弾性変形によりＸ軸負方向に変位するので、第４フランジ部１１５が段付きネジ３１２の第１頭部３１２ａ（より詳細には、第２当接部３１２ｄ）に当接する。また、受け部１１１が弾性変形によりＸ軸方向と垂直な方向に変位した場合には、第４貫通孔１１２の内周面は、段付きネジ３１２の非ネジ部３１２ｂの外周面に当接する。一方で、レンズ鏡筒１にＸ軸正方向への衝撃力が加わった場合には、受け部１１１が弾性変形によりＸ軸正方向に変位するので、受け部１１１は基部４１１ｃ（より詳細には、第１当接部４１１ｄ）と当接する。このようにして、部材が弾性変形の範囲内で変位した場合には、受け部１１１が止め部４１１（具体的には、基部４１１ｃ、非ネジ部３１２ｂ、および段付きネジ３１２の第１頭部３１２ａのうち少なくともいずれかひとつ）に当接することができる。その結果、レンズ鏡筒１に加わった衝撃力は第１支持部２２１、第２支持部２３１、および第３支持部２４１だけではなく、止め部４１１にも分散される。このように、レンズ鏡筒１に加わった衝撃力が４箇所に分散され吸収されるので、３箇所でのみレンズ鏡筒１が支持される場合に比べて、レンズ鏡筒１および本体２００の耐衝撃性を向上させることができる。
【００６６】
前述のように、支持構造４では、非ネジ部３１２ｂは第１頭部３１２ａと一体的に形成され、基部４１１ｃは非ネジ部３１２ｂの第１頭部３１２ａとは反対側の端部と当接している。したがって、基部４１１ｃと第１頭部３１２ａとの間に形成される空間のＸ軸方向の大きさは、非ネジ部３１２ｂのＸ軸方向の高さＨ２となる。したがって、レンズ鏡筒１を前面パネル２０２に取り付ける際に、基部４１１ｃに対する第１頭部３１２ａの位置を調節する必要がなくなる。つまり、レンズ鏡筒１の取り付けにおいて、余分な作業を省略することができる。
【００６７】
３．他の実施の形態
本発明の実施形態は、前述の実施形態に限定されず、本発明の趣旨を逸脱しない範囲で種々の変更および修正が可能である。
【００６８】
（１）
上記の実施形態においては、ネジによって固定される３箇所の取付部（つまり、第１取付部１２１、第２取付部１３１、および第３取付部１４１）と、１箇所の受け部１１１とを備える構成について説明したが、受け部１１１は本体枠１０１の２箇所以上に設けられていてもよい。
【００６９】
（２）
上記の実施形態においては、第１取付部１２１、第２取付部１３１、第３取付部１４１、および受け部１１１は、概ね、Ｘ軸方向に垂直な同一平面上に設けられていたが、これらは必ずしも同一平面上に配置されていなくともよく、レンズ鏡筒１を本体２００に精度良く取り付けることができる範囲で、Ｘ軸方向での位置が互いにずれていても構わない。また、上記の実施形態では、第１取付部１２１、第２取付部１３１、第３取付部１４１、および受け部１１１は、固定枠１００の周囲に概ね一定のピッチで設けられていたが、必ずしも一定のピッチで設けられていなくともよく、レンズ鏡筒１を本体２００に精度良く固定でき、レンズ鏡筒１の安定性を確保できる範囲内で、ピッチが変化していても構わない。
【００７０】
また、第１取付部１２１、第２取付部１３１、第３取付部１４１、および受け部１１１は固定枠１００と別部材であってもよい。例えば、受け部１１１を本体枠１０１とは異なる部材として形成し、固定枠１００に受け部１１１を固定しても構わない。このように、第１取付部１２１、第２取付部１３１、第３取付部１４１、および受け部１１１が「固定枠１００に一体的に設けられている」とは、固定枠１００と一体形成されている場合だけではなく、固定枠１００に固定されている場合を含む概念である。
【００７１】
また、第１取付部１２１、第２取付部１３１、および第３取付部１４１は、第１ネジ３２１、第２ネジ３３１、および第３ネジ３４１により前面パネル２０２に固定されていたが、これらの取付部は接着やリベットによる固定などのネジ以外の手段により前面パネル２０２に固定されていてもよい。
【００７２】
また、第１ネジ３２１、第２ネジ３３１、第３ネジ３４１、および第４ネジ３１１として同じ種類のネジが用いられていたが、これらのネジは互いに異なる形状および寸法を有していても構わない。
【００７３】
（３）
上記の実施形態では、デジタルカメラ２を例にしてレンズ鏡筒の支持構造および光学機器について説明したが、ここに開示された技術を適用可能な光学機器はデジタルカメラに限られず、光学系を有する機器全般が含まれる。例えば、ここに開示された技術は、カメラやビデオカメラなどの撮像装置だけではなく、プロジェクターなどの光学機器にも適用可能である。
【００７４】
また、上記の本実施形態ではデジタルカメラ２のレンズ群１０２はレンズ鏡筒本体１０に収容されているが、光学機器の光学系の一部がレンズ鏡筒ではなく光学機器の筐体に収容されていてもよい。
【００７５】
また、上記の実施形態ではレンズ群１０２には被写体からの光が入射していたが、光学機器の光学系は光学機器の外部に光を出射していてもよい。例えば、光学機器がプロジェクターである場合には、プロジェクターの光学系は外部へ光を出射する。
【００７６】
（４）
上記の実施形態では、Ｘ軸に垂直な面上において本体枠１０１の外縁Ｅに外接する正方形ＳＱを用いて、第１取付部１２１、第２取付部１３１、第３取付部１４１、および受け部１１１の配置位置が設定されていたが、正方形ＳＱ以外の長方形を用いてこれらの取付部および受け部１１１の配置位置が設定されてもよい。つまり、正方形ＳＱは長方形の一例である。したがって、第１取付部１２１、第２取付部１３１、第３取付部１４１、および受け部１１１が、Ｘ軸に垂直な面上において本体枠１０１の外縁Ｅに外接する長方形の内側に配置されていればよい。
【００７７】
（５）
上記の実施形態では、第４ネジ３１１の第２頭部３１１ａにより受け部１１１のＸ軸方向の変位が規制されていたが、ネジ以外の部材により受け部１１１のＸ軸方向の変位が規制されていてもよい。
【００７８】
また、上記の実施形態では、第４ネジ３１１の第２頭部３１１ａの外周部全体が第４フランジ部１１５と当接できるように配置されているが、第２頭部３１１ａの外周部の一部が第４フランジ部と当接するように第４ネジ３１１が配置されていてもよい。この場合であっても、第４ネジ３１１により第４フランジ部１１５のＸ軸方向の変位を規制することができる。
【００７９】
（６）
上記の実施形態では、受け部１１１の第４フランジ部１１５が本体枠１０１の外周面から突出しており、第４フランジ部１１５が止め部２１１に挿入されていたが、これとは逆に、止め部２１１を突出させ受け部１１１に挿入することも考えられる。この場合には、受け部１１１として、例えば、本体枠１０１の外周部に止め部２１１を挿入するための凹部が形成される。さらに、止め部２１１と受け部１１１とは、隙間を介して配置され、かつ、当接可能に配置される。このような構成であっても、レンズ鏡筒１が変異した場合に止め部２１１が受け部１１１を支持することができるので、レンズ鏡筒１の耐衝撃性を高めることが可能である。
【産業上の利用可能性】
【００８０】
ここに開示されたレンズ鏡筒の支持構造によれば、レンズ鏡筒の耐衝撃性を高めることができる。したがって、ここに開示された技術は、カメラ、ビデオカメラ等の撮影光学機器、および光学要素を含む画像入力装置等に適用することができる。
【符号の説明】
【００８１】
１    レンズ鏡筒
２    デジタルカメラ（光学機器の一例）
３    支持構造
１０    レンズ鏡筒本体
１００    固定枠
１０１    本体枠
１０２    レンズ群（光学系の一例）
１１１    受け部
１１２    第４貫通孔（孔の一例）
１１５    第４フランジ部（突出部の一例）
１２１    第１取付部
１３１    第２取付部
１４１    第３取付部
２００    本体
２０１    筐体
２０２    前面パネル（ベース枠の一例）
２１１    止め部
２１１ｂ    突起（第３規制部の一例）
２１１ｃ    基部（第１規制部の一例）
２２１    第１支持部
２３１    第２支持部
２４１    第３支持部
３１１    第４ネジ
３１１ａ    第２頭部（第２規制部の一例）
３１２    段付きネジ
３１２ａ    第１頭部（第２規制部の一例）
３１２ｂ    非ネジ部（第３規制部の一例、胴部の一例）
３１２ｃ    ネジ部
ＳＱ    正方形
【図２Ａ】
0005887544.tif 000002
【図２Ｂ】
0005887544.tif 000003
【図２Ｃ】
0005887544.tif 000004
【図６Ｄ】
0005887544.tif 000005
【図６Ｅ】
0005887544.tif 000006
【図６Ｆ】
0005887544.tif 000007
【図７】
0005887544.tif 000008
【図１】
0005887544.tif 000009
【図３】
0005887544.tif 000010
【図４Ａ】
0005887544.tif 000011
【図４Ｂ】
0005887544.tif 000012
【図５】
0005887544.tif 000013
【図６Ａ】
0005887544.tif 000014
【図６Ｂ】
0005887544.tif 000015
【図６Ｃ】
0005887544.tif 000016